(57)【特許請求の範囲】
【請求項１】
音声データ及び該音声データに関する付加情報を記憶する記憶手段と、前記付加情報を表示する表示手段とを備え、前記音声データに基づき音声の再生を行うとともに前記表示手段に前記付加情報を表示する音声記録再生装置において、
前記音声データを外部機器からアナログ信号として取得し、デジタル信号に変換して前記記憶手段に記憶する音声データ取得手段と、
デジタル信号からアナログ信号に変換された、前記音声データの目次情報を、前記外部機器から取得する目次情報取得手段と、
予め複数の付加情報を記憶した付加情報記憶手段と、
アナログ信号として取得した前記目次情報をデジタル信号に変換した目次情報に基づき、前記付加情報記憶手段から前記音声データに対応する付加情報を検出する付加情報検出手段と、
前記付加情報検出手段による検出の結果、前記音声データに対応する付加情報を検出した場合、前記音声データと該付加情報とを対応付けて前記記憶手段に記憶する制御手段を備えることを特徴とする音声記録再生装置。
【請求項２】
音声データ及び該音声データに関する付加情報を記憶する記憶手段と、前記付加情報を表示する表示手段とを備え、前記音声データに基づき音声の再生を行うとともに前記表示手段に前記付加情報を表示する音声記録再生装置において、
前記音声データを外部機器からアナログ信号として取得し、デジタル信号に変換して前記記憶手段に記憶する音声データ取得手段と、
デジタル信号からアナログ信号に変換された、前記音声データの目次情報を、前記外部機器から取得する目次情報取得手段と、
複数の付加情報から構築されるデータベースを有する外部サーバとネットワーク接続され、該外部サーバとのネットワーク通信を行う通信手段と、
アナログ信号として取得した前記目次情報をデジタル信号に変換した目次情報に基づき、前記通信手段を介して前記外部サーバから前記音声データに対応する付加情報を検出する付加情報検出手段と、
前記付加情報検出手段による検出の結果、前記音声データに対応する付加情報を検出した場合、前記音声データと該付加情報とを対応付けて前記記憶手段に記憶する制御手段を備えることを特徴とする音声記録再生装置。
【請求項３】
音声データ及び該音声データに関する付加情報を記憶する記憶手段と、前記付加情報を表示する表示手段とを備え、前記音声データに基づき音声の再生を行うとともに前記表示手段に前記付加情報を表示する音声記録再生装置において、
前記音声データを外部機器からアナログ信号として取得し、デジタル信号に変換して前記記憶手段に記憶する音声データ取得手段と、
デジタル信号からアナログ信号に変換された、前記音声データの目次情報を、前記外部機器から取得する目次情報取得手段と、
予め複数の付加情報を記憶した付加情報記憶手段と、
複数の付加情報から構築されるデータベースを有する外部サーバとネットワーク接続され、該外部サーバとのネットワーク通信を行う通信手段と、
アナログ信号として取得した前記目次情報をデジタル信号に変換した目次情報に基づき、前記付加情報記憶手段から前記音声データに対応する付加情報が存在するか否かを検出し、該検出の結果、前記音声データに対応する付加情報を検出しない場合、前記通信手段を介して前記外部サーバから前記音声データに対応する付加情報が存在するか否かを検出する付加情報検出手段と、
前記付加情報検出手段による検出の結果、前記音声データに対応する付加情報を検出した場合、前記音声データと該付加情報とを対応付けて前記記憶手段に記憶する制御手段を備えることを特徴とする音声記録再生装置。
【請求項４】
請求項１〜３の何れか一項に記載の音声記録再生装置において、
前記目次情報はＴＯＣ情報であることを特徴とする音声記録再生装置。
【請求項５】
音声データをアナログ信号として出力する音源装置と、前記音声データをデジタル信号に変換して記憶する記憶手段及び該記憶手段に記憶した前記音声データに基づいて音声の出力を行う音声再生手段を備えた音声再生装置とからなる音声記録再生システムであって、
前記音源装置は、
前記音声データの出力に伴い、該音声データの目次情報をデジタル信号からアナログ信号に変換して出力する目次情報出力手段を備え、
前記音声再生装置は、
前記アナログ信号に変換された目次情報を前記音源装置より取得する目次情報取得手段と、
複数の付加情報が予め記憶された付加情報記憶手段と、
アナログ信号として取得した前記目次情報をデジタル信号に変換した目次情報に基づき、前記付加情報記憶手段から前記音声データに対応する付加情報を検索する付加情報検索手段と、
前記付加情報検索手段による検索の結果、前記音声データに対応する付加情報を検出した場合、前記音声データと該付加情報とを対応付けて前記記憶手段に記憶する制御手段と、
前記音声再生手段による前記音声データの再生時に、該音声データに対応する前記付加情報を表示する表示手段とを備えることを特徴とする音声記録再生システム。
【請求項６】
音声データをアナログ信号として出力する音源装置と、前記音声データをデジタル信号に変換して記憶する記憶手段及び該記憶手段に記憶した前記音声データに基づいて音声の出力を行う音声再生手段を備えた音声再生装置とからなる音声記録再生システムであって、
前記音源装置は、
前記音声データの出力に伴い、該音声データの目次情報をデジタル信号からアナログ信号に変換して出力する目次情報出力手段を備え、
前記音声再生装置は、
前記アナログ信号に変換された目次情報を前記音源装置より取得する目次情報取得手段と、
複数の付加情報から構築されるデータベースを有する外部サーバとネットワーク接続さ
れ、該外部サーバとのネットワーク通信を行う通信手段と、
アナログ信号として取得した前記目次情報をデジタル信号に変換した目次情報に基づき、前記外部サーバから前記音声データに対応する付加情報を検索する付加情報検索手段と、
前記付加情報検索手段による検索の結果、前記音声データに対応する付加情報を検出した場合、前記音声データと該付加情報とを対応付けて前記記憶手段に記憶する制御手段と、
前記音声再生手段による前記音声データの再生の際、該音声データに対応する前記付加情報を表示する表示手段とを備えることを特徴とする音声記録再生システム。
【請求項７】
音声データをアナログ信号として出力する音源装置と、前記音声データをデジタル信号に変換して記憶する記憶手段及び該記憶手段に記憶した前記音声データに基づいて音声の出力を行う音声再生手段を備えた音声再生装置とからなる音声記録再生システムであって、
前記音源装置は、
前記音声データの出力に伴い、該音声データの目次情報をデジタル信号からアナログ信号に変換して出力する目次情報出力手段を備え、
前記音声再生装置は、
前記アナログ信号に変換された目次情報を前記音源装置より取得する目次情報取得手段と、
複数の付加情報が予め記憶された付加情報記憶手段と、
複数の付加情報から構築されるデータベースを有する外部サーバとネットワーク接続され、該外部サーバとのネットワーク通信を行う通信手段と、
アナログ信号として取得した前記目次情報をデジタル信号に変換した目次情報に基づき、前記付加情報記憶手段から前記音声データに対応する付加情報が存在するか否かを検出し、該検出の結果、前記音声データに対応する付加情報を検出しない場合、前記通信手段を介して前記外部サーバから前記音声データに対応する付加情報が存在するか否かを検出する付加情報検出手段と、
前記付加情報検出手段による検出の結果、前記音声データに対応する付加情報を検出した場合、前記音声データと該付加情報とを対応付けて前記記憶手段に記憶する制御手段と、
前記音声再生手段による前記音声データの再生の際、該音声データに対応する前記付加情報を表示する表示手段とを備えることを特徴とする音声記録再生システム。
【請求項８】
請求項５〜７の何れか一項に記載の音声記録再生システムにおいて、
前記目次情報はＴＯＣ情報であることを特徴とする音声記録再生システム。
【請求項９】
外部より入力された音声データ及び該音声データに関する付加情報を取得して電子データを記憶する記憶手段に記憶し、前記音声データに基づいて音声の再生を行うとともに、前記付加情報に基づいて電子映像の表示を行う表示手段に該付加情報を表示する音声記録再生方法であって、
アナログ信号として入力され、デジタル信号に変換されて前記記憶手段に記憶される音声データと、デジタル信号からアナログ信号に変換された、前記音声データの目次情報と、を外部より取得するステップと、
前記複数の音声データに関する付加情報を予め記憶した付加情報記憶手段の中から、アナログ信号として取得した前記目次情報をデジタル信号に変換した目次情報に基づいて、前記入力された音声データに対応する付加情報を検出するステップと、
該検出の結果、前記入力された音声データに対応する付加情報を検出した場合、前記音声データと該付加情報とを対応付けて前記記憶手段に記憶するステップと、
該記憶手段に記憶した音声データに基づいて音声再生を行うステップと、
前記音声データと対応付けて記憶される前記付加情報に基づいて、前記表示手段に該付加情報を表示するステップとからなることを特徴とする音声記録再生方法。
【請求項１０】
音声データ及び前記付加情報を記憶する記憶手段と、前記音声データの再生を行う音声再生手段と、前記音声データに関する付加情報を表示する表示手段とを備えた音声記録再生装置を制御するコンピュータに、
アナログ信号として入力され、デジタル信号に変換されて前記記憶手段に記憶される音声データと、デジタル信号からアナログ信号に変換された、前記音声データの目次情報と、を外部より取得する機能と、
アナログ信号として取得した前記目次情報をデジタル信号に変換した目次情報に基づいて、複数の音声データに関する付加情報を予め記憶した付加情報記憶手段の中から前記入力された音声データに対応する付加情報を検出する機能と、
該検出の結果、前記入力された音声データに対応する付加情報を検出した場合、前記音声データと該付加情報とを対応付けて前記記憶手段に記憶する機能と、
該記憶手段に記憶した音声データに基づいて音声の再生を行う機能と、
前記音声データと対応付けて記憶される前記付加情報に基づいて前記表示手段に該付加情報を表示する機能とを実現させることを特徴とする音声記録再生プログラム。
【発明の詳細な説明】
【技術分野】
【０００１】
本発明は音声記録再生装置、音声記録再生システム、音声記録再生方法及び音声記録再生プログラムに係り、特に、アナログ信号で出力される目次情報に基づいて音声データに関する付加情報を取得するデジタルデータとして取得する音声記録再生装置、音声記録再生システム、音声記録再生方法及び音声記録再生プログラムに関する。
【背景技術】
【０００２】
近年、ハードディスクやフラッシュメモリに音楽等の音声データを記憶して音声の記録や再生を行う携帯型の音声記録再生装置が急速に普及している。小型、軽量且つ大記憶容量であり、音楽等の再生のみならずその整理や保管にも便利である。
音声データの取得は、ＰＣ（Ｐｅｒｓｏｎａｌ  Ｃｏｍｐｕｔｅｒ）の内部メモリにＣＤ−ＤＡ等の記録媒体やインターネット等のネットワークを通じて取得し、内部メモリに記憶された楽曲等の音声データから圧縮音声データを生成し、ＵＳＢ（Ｕｎｉｖｅｒｓａｌ  Ｓｅｒｉａｌ  Ｂｕｓ）ケーブル等を介して携帯型記録再生装置のハードディスク等に転送することにより行われる。
【０００３】
ハードディスクに転送するデータは、音楽データに限られるものでなく、音声データに関する各種の付加情報も転送することができる。付加情報とは、例えば、音声データが曲のデータであるとすると、その曲のタイトルや再生時間、その曲を提供するアーティスト名等の曲の案内を示す情報である。ＰＣで取得する音声データにこのような付加情報が含まれていることもあるし、付加情報を作成するアプリケーションソフトウェアによりユーザ自らが付加情報を編集することもできるし、近年ではネットワークを通じてＣＤＤＢ（ＣＤ  Ｄａｔａ  Ｂａｓｅ）から付加情報を取得することもできる。携帯型記録再生装置に音声データを転送する際に付加情報を共に転送し、音声データの再生時乃至は曲の選択時に携帯型記録再生装置に設けられた表示モニタにこの付加情報を表示させることができる。携帯型記録再生装置は、データの記憶容量が大きいため（例えば、最大で２０ギガバイト又はそれ以上）、音声データでは、１曲が４分の曲をＷＭＡ形式（６４ｋｂｐｓ）で記憶した場合、１００００曲又はそれ以上の音声データを収録することができる。このため、ユーザが所望する曲の選択等を行う際に付加情報のようなインデックスを視覚的に確認できる技術は必須であり、種々の研究開発が行われている。
【０００４】
例えば、特許文献１には、ＣＤ（Ｃｏｍｐａｃｔ  Ｄｉｓｃ）から取得した音声データをＭＤ（Ｍｉｎｉ  Ｄｉｓｃ）に録音する際、ＣＤに記録されたＴＯＣ（Ｔａｂｌｅ  ｏｆ  Ｃｏｎｔｅｎｔｓ）情報又はＴＯＣ情報に対応する曲のタイトル情報をＭＤに記録する技術が開示されている。特許文献２には、ＭＤレコーダが読み込んだＴＯＣ情報等をＰＣが吸い上げる技術が開示されている。
【特許文献１】特開平９−１０６６６１号公報
【特許文献２】特開２００１−６２６０号公報
【発明の開示】
【発明が解決しようとする課題】
【０００５】
しかしながら、従来技術では、ＣＤプレーヤ等の出力音源からＴＯＣ情報を他の機器に出力するにはデジタルによる出力を行っている。この点ＣＤプレーヤ等にデジタル出力装置及びデジタル出力端子を設ける必要があり、その分コスト負担が増大するという問題がある。ＣＤプレーヤ等の出力端子はアナログ出力端子が設けられるのが一般的であり、又デジタル出力装置を設けるのに比して低コストである。この点ＴＯＣ情報等の出力にアナログ出力装置を利用することができれば便利である。
また、ＣＤプレーヤ等の光学記録媒体を再生する再生装置は成熟技術として市場に広く浸透しており、これらＣＤプレーヤ等を有するユーザが、長年蓄積したＣＤ等の光学記録媒体を携帯型再生装置の大容量記憶媒体に整理や保管することができれば便利である。特に、ハードディスクやフラッシュメモリ等の記憶媒体を有する携帯型記録再生装置では、音声データやその付加情報の転送にＰＣを用いる必要がある。従って、アナログ入力端子が設けられた携帯型再生装置であれば、ＣＤプレーヤ等から出力されるアナログの音声データをハードディスク上に記憶させることはできるが、その付加情報を記憶させることはできないという問題がある。更には、ＣＤプレーヤを所有しているがＰＣを所有しないユーザが、携帯型記録再生装置の付加情報表示手段を利用するためにはＰＣの購入が強いられるという問題がある。
【０００６】
本発明の課題は、携帯型記録再生装置にアナログ出力によって付加情報を取得して記録媒体に記憶させ且つこの取得したＴＯＣ情報等の目次情報に基づいて音声データの付加情報を取得して、音声データの再生時又は曲の選択時にこの付加情報を表示することである。
【課題を解決するための手段】
【０００７】
上記課題を解決するために、請求項１に記載の発明は、音声データ及び該音声データに関する付加情報を記憶する記憶手段と、前記付加情報を表示する表示手段とを備え、前記音声データに基づき音声の再生を行うとともに前記表示手段に前記付加情報を表示する音声記録再生装置において、
前記音声データを外部機器からアナログ信号として取得し、デジタル信号に変換して前記記憶手段に記憶する音声データ取得手段と、
デジタル信号からアナログ信号に変換された、前記音声データの目次情報を、前記外部機器から取得する目次情報取得手段と、
予め複数の付加情報を記憶した付加情報記憶手段と、
アナログ信号として取得した前記目次情報をデジタル信号に変換した目次情報に基づき、前記付加情報記憶手段から前記音声データに対応する付加情報を検出する付加情報検出手段と、
前記付加情報検出手段による検出の結果、前記音声データに対応する付加情報を検出した場合、前記音声データと該付加情報とを対応付けて前記記憶手段に記憶する制御手段を備えることを特徴とする。
【０００８】
請求項２に記載の発明は、音声データ及び該音声データに関する付加情報を記憶する記憶手段と、前記付加情報を表示する表示手段とを備え、前記音声データに基づき音声の再生を行うとともに前記表示手段に前記付加情報を表示する音声記録再生装置において、
前記音声データを外部機器からアナログ信号として取得し、デジタル信号に変換して前記記憶手段に記憶する音声データ取得手段と、
デジタル信号からアナログ信号に変換された、前記音声データの目次情報を、前記外部機器から取得する目次情報取得手段と、
複数の付加情報から構築されるデータベースを有する外部サーバとネットワーク接続され、該外部サーバとのネットワーク通信を行う通信手段と、
アナログ信号として取得した前記目次情報をデジタル信号に変換した目次情報に基づき、前記通信手段を介して前記外部サーバから前記音声データに対応する付加情報を検出する付加情報検出手段と、
前記付加情報検出手段による検出の結果、前記音声データに対応する付加情報を検出した場合、前記音声データと該付加情報とを対応付けて前記記憶手段に記憶する制御手段を備えることを特徴とする。
【０００９】
請求項３に記載の発明は、音声データ及び該音声データに関する付加情報を記憶する記憶手段と、前記付加情報を表示する表示手段とを備え、前記音声データに基づき音声の再生を行うとともに前記表示手段に前記付加情報を表示する音声記録再生装置において、
前記音声データを外部機器からアナログ信号として取得し、デジタル信号に変換して前記記憶手段に記憶する音声データ取得手段と、
デジタル信号からアナログ信号に変換された、前記音声データの目次情報を、前記外部機器から取得する目次情報取得手段と、
予め複数の付加情報を記憶した付加情報記憶手段と、
複数の付加情報から構築されるデータベースを有する外部サーバとネットワーク接続され、該外部サーバとのネットワーク通信を行う通信手段と、
アナログ信号として取得した前記目次情報をデジタル信号に変換した目次情報に基づき、前記付加情報記憶手段から前記音声データに対応する付加情報が存在するか否かを検出し、該検出の結果、前記音声データに対応する付加情報を検出しない場合、前記通信手段を介して前記外部サーバから前記音声データに対応する付加情報が存在するか否かを検出する付加情報検出手段と、
前記付加情報検出手段による検出の結果、前記音声データに対応する付加情報を検出した場合、前記音声データと該付加情報とを対応付けて前記記憶手段に記憶する制御手段を備えることを特徴とする。
【００１１】
請求項４に記載の発明は、請求項１〜３の何れか一項に記載の音声記録再生装置において、
前記目次情報はＴＯＣ情報であることを特徴とする。
【００１２】
請求項５に記載の発明は、音声データをアナログ信号として出力する音源装置と、前記音声データをデジタル信号に変換して記憶する記憶手段及び該記憶手段に記憶した前記音声データに基づいて音声の出力を行う音声再生手段を備えた音声再生装置とからなる音声記録再生システムであって、
前記音源装置は、
前記音声データの出力に伴い、該音声データの目次情報をデジタル信号からアナログ信号に変換して出力する目次情報出力手段を備え、
前記音声再生装置は、
前記アナログ信号に変換された目次情報を前記音源装置より取得する目次情報取得手段と、
複数の付加情報が予め記憶された付加情報記憶手段と、
アナログ信号として取得した前記目次情報をデジタル信号に変換した目次情報に基づき、前記付加情報記憶手段から前記音声データに対応する付加情報を検索する付加情報検索手段と、
前記付加情報検索手段による検索の結果、前記音声データに対応する付加情報を検出した場合、前記音声データと該付加情報とを対応付けて前記記憶手段に記憶する制御手段と、
前記音声再生手段による前記音声データの再生時に、該音声データに対応する前記付加情報を表示する表示手段とを備えることを特徴とする。
【００１３】
請求項６に記載の発明は、音声データをアナログ信号として出力する音源装置と、前記音声データをデジタル信号に変換して記憶する記憶手段及び該記憶手段に記憶した前記音声データに基づいて音声の出力を行う音声再生手段を備えた音声再生装置とからなる音声記録再生システムであって、
前記音源装置は、
前記音声データの出力に伴い、該音声データの目次情報をデジタル信号からアナログ信号に変換して出力する目次情報出力手段を備え、
前記音声再生装置は、
前記アナログ信号に変換された目次情報を前記音源装置より取得する目次情報取得手段と、
複数の付加情報から構築されるデータベースを有する外部サーバとネットワーク接続さ
れ、該外部サーバとのネットワーク通信を行う通信手段と、
アナログ信号として取得した前記目次情報をデジタル信号に変換した目次情報に基づき、前記外部サーバから前記音声データに対応する付加情報を検索する付加情報検索手段と、
前記付加情報検索手段による検索の結果、前記音声データに対応する付加情報を検出した場合、前記音声データと該付加情報とを対応付けて前記記憶手段に記憶する制御手段と、
前記音声再生手段による前記音声データの再生の際、該音声データに対応する前記付加情報を表示する表示手段とを備えることを特徴とする。
【００１４】
請求項７に記載の発明は、音声データをアナログ信号として出力する音源装置と、前記音声データをデジタル信号に変換して記憶する記憶手段及び該記憶手段に記憶した前記音声データに基づいて音声の出力を行う音声再生手段を備えた音声再生装置とからなる音声記録再生システムであって、
前記音源装置は、
前記音声データの出力に伴い、該音声データの目次情報をデジタル信号からアナログ信号に変換して出力する目次情報出力手段を備え、
前記音声再生装置は、
前記アナログ信号に変換された目次情報を前記音源装置より取得する目次情報取得手段と、
複数の付加情報が予め記憶された付加情報記憶手段と、
複数の付加情報から構築されるデータベースを有する外部サーバとネットワーク接続され、該外部サーバとのネットワーク通信を行う通信手段と、
アナログ信号として取得した前記目次情報をデジタル信号に変換した目次情報に基づき、前記付加情報記憶手段から前記音声データに対応する付加情報が存在するか否かを検出し、該検出の結果、前記音声データに対応する付加情報を検出しない場合、前記通信手段を介して前記外部サーバから前記音声データに対応する付加情報が存在するか否かを検出する付加情報検出手段と、
前記付加情報検出手段による検出の結果、前記音声データに対応する付加情報を検出した場合、前記音声データと該付加情報とを対応付けて前記記憶手段に記憶する制御手段と、
前記音声再生手段による前記音声データの再生の際、該音声データに対応する前記付加情報を表示する表示手段とを備えることを特徴とする。
【００１６】
請求項８に記載の発明は、請求項５〜７の何れか一項に記載の音声記録再生システムにおいて、
前記目次情報はＴＯＣ情報であることを特徴とする。
【００１７】
請求項９に記載の発明は、外部より入力された音声データ及び該音声データに関する付加情報を取得して電子データを記憶する記憶手段に記憶し、前記音声データに基づいて音声の再生を行うとともに、前記付加情報に基づいて電子映像の表示を行う表示手段に該付加情報を表示する音声記録再生方法であって、
アナログ信号として入力され、デジタル信号に変換されて前記記憶手段に記憶される音声データと、デジタル信号からアナログ信号に変換された、前記音声データの目次情報と、を外部より取得するステップと、
前記複数の音声データに関する付加情報を予め記憶した付加情報記憶手段の中から、アナログ信号として取得した前記目次情報をデジタル信号に変換した目次情報に基づいて、前記入力された音声データに対応する付加情報を検出するステップと、
該検出の結果、前記入力された音声データに対応する付加情報を検出した場合、前記音声データと該付加情報とを対応付けて前記記憶手段に記憶するステップと、
該記憶手段に記憶した音声データに基づいて音声再生を行うステップと、
前記音声データと対応付けて記憶される前記付加情報に基づいて、前記表示手段に該付加情報を表示するステップとからなることを特徴とする。
【００１８】
請求項１０に記載の発明は、音声記録再生プログラムであって、音声データ及び前記付加情報を記憶する記憶手段と、前記音声データの再生を行う音声再生手段と、前記音声データに関する付加情報を表示する表示手段とを備えた音声記録再生装置を制御するコンピュータに、
アナログ信号として入力され、デジタル信号に変換されて前記記憶手段に記憶される音声データと、デジタル信号からアナログ信号に変換された、前記音声データの目次情報と、を外部より取得する機能と、
アナログ信号として取得した前記目次情報をデジタル信号に変換した目次情報に基づいて、複数の音声データに関する付加情報を予め記憶した付加情報記憶手段の中から前記入力された音声データに対応する付加情報を検出する機能と、
該検出の結果、前記入力された音声データに対応する付加情報を検出した場合、前記音声データと該付加情報とを対応付けて前記記憶手段に記憶する機能と、
該記憶手段に記憶した音声データに基づいて音声の再生を行う機能と、
前記音声データと対応付けて記憶される前記付加情報に基づいて前記表示手段に該付加情報を表示する機能とを実現させることを特徴とする。
【発明の効果】
【００１９】
本発明によれば、音声記録再生装置に、ＰＣ等から所定の規格に基づく特定のアプリケーションソフトウェアから生成されたデジタル音声データを入力する以外に、入力する音声データとその目次情報を入力すれば、入力した音声データに対し関連する付加情報を与えることができ、表示手段に、ＰＣ以外の音源装置から入力する音声データにも付加情報を表示させることができる。即ち、音声記録再生装置内に設けられた付加情報記憶手段に、目次情報と対応関係を有する付加情報群を予め複数記憶しておくことで、ＰＣ以外の音源装置から入力した目次情報に基づいて音声データに対応する付加情報を検索することができる。この検索により検出した特定の付加情報とＰＣ以外の音源装置から入力した音声データとを対応付けて記憶することで、この音声データの再生時等に表示手段に付加情報を表示することができるという効果がある。
また、ＰＣ以外の音源装置から入力した目次情報に基づいて音声データの付加情報を検索する際、付加情報記憶手段に目的とする付加情報が無い場合であっても、外部サーバ検索手段により、より膨大な付加情報を格納するデータベースから目的とする付加情報を取得することができることから、より確実に音声データに付加情報を与えることができるという効果がある。
また、目次情報をアナログ信号として入力する構成とすることで、従来から在るＣＤプレーヤ等のように、アナログ出力端子しか備えない音源装置に目次情報出力用の出力端子を設け、音声記録再生装置に目次情報取得手段としてアナログの入力端子を設けるという簡便な装置構成とすることができ、コスト的にも優れるという効果がある。
更に、目次情報として音声データ数（曲数）や音声データの時間長（曲の再生時間）等が記憶されたＴＯＣ情報を利用することで、曲数や曲の再生時間をキーとして付加情報記憶手段や外部サーバ検索手段が検索を行うデータベースに格納する付加情報群から対応する付加情報を検索しやすいという効果がある。
【発明を実施するための最良の形態】
【００２０】
次に、図を用いて本発明を実施するための最良の形態について説明する。図１は、本発明を適用したポータブル記録再生装置１をＣＤプレーヤ１５と接続した状態を示す。先ず、ポータブル記録再生装置１について説明する。ポータブル記録再生装置１は、ＰＣ（Ｐｅｒｓｏｎａｌ  Ｃｏｍｐｕｔｅｒ）やＣＤプレーヤ等からデジタル音声データやアナログ音声データの供給を受け、半導体メモリやハードディスク等の記録媒体５に記憶し、ユーザの操作によって図示しないイヤホン等から音声を出力するものである。
ポータブル記録再生装置１は、ＣＰＵ２、ＲＯＭ（Ｒｅａｄ  Ｏｎｌｙ  Ｍｅｍｏｒｙ）３、ＲＡＭ（Ｒａｎｄｏｍ  Ａｃｃｅｓｓ  Ｍｅｍｏｒｙ）４、記録媒体５、音声処理部６、コマンド受信部７、コマンド入力端子８、音声データ入力端子９、表示部１０、入力部１１、割込みコントローラ１２、外部Ｉ／Ｆ１３及びイヤホン出力端子１４から構成される。
【００２１】
制御部としてのＣＰＵ２は、オペレーションプログラムや音声データ等の取得及び各種音声処理用のアプリケーションプログラムをＲＯＭ３から読み出し、ワークエリアとしてのＲＡＭ４に展開して音声再生処理や音声データ等の取得処理を制御する。音声データ取得処理では、外部Ｉ／Ｆ１３を介してＰＣから音声データを取得したり、後述する音声データ用ケーブル２５及びコマンド用ケーブル２４を介してＣＤプレーヤ１５から出力される音声データ及びＴＯＣ（Ｔａｂｌｅ  Ｏｆ  Ｃｏｎｔｅｎｔｓ）情報等を取得する制御を行う。
【００２２】
ＲＯＭ３は、ＥＥＰＲＯＭ（Ｅｌｅｃｔｒｉｃａｌ  Ｅｒａｓａｂｌｅ  Ｐｒｏｇｒａｍｍａｂｌｅ  ＲＯＭ）等の不揮発性メモリから構成される。ポータブル記録再生装置１の制御に関するオペレーションプログラムや音声データの再生処理及び音声データの取得処理に関するアプリケーションプログラムを格納する。
【００２３】
ＲＡＭ４は、フラッシュメモリ等の不揮発メモリから構成される。ＣＰＵ２がオペレーションプログラムやアプリケーションプログラムとの協働により行う各種の演算及びその結果を一時的に記憶するとともに、ＴＯＣ情報と後述するメタデータとの対応付けを行うデータテーブル等を展開するワークエリアである。
【００２４】
記録媒体５は、電気的及び磁気的にアプリケーションプログラム、音声データ、ＴＯＣ情報及びメタデータ等を記憶する記憶媒体であり、半導体メモリやハードディスク等からなる。音声データは、ディレクトリ構造により区分されて格納される。図３に記録媒体５に記憶されるデータの構造例を示す。図３では、例えば、複数の楽曲が記録されてなるアルバムデータ毎にアルバム「Ａ」ディレクトリ５３、アルバム「Ｂ」ディレクトリ５５及びアルバム「Ｃ」ディレクトリ５７を設ける。アルバム「Ａ」ディレクトリ５３には、音声データファイル５４ａ、５４ｂおよび５４ｃの音声データファイルを格納する。アルバム「Ｂ」ディレクトリ５５には、音声データファイル５６ａ、５６ｂ及び５６ｃの音声データファイルを格納する。アルバム「Ａ」ディレクトリ５３とアルバム「Ｂ」ディレクトリ５５とに格納される各音声データファイルは、後述するＰＣ３０の音声データ転送アプリケーションプログラムにより転送されたものであるため１曲毎に音声データファイルが作成されて、格納されている。これに対し、アルバム「Ｃ」ディレクトリ５７に格納される音声データ５８は、音声データ入力端子９（図１参照）を介してＣＤプレーヤ１５からアナログ入力された音声データをデジタル音声データに変換して記憶したものである。  なお、ディレクトリの分類はアルバムに限られず、音声データを取得した日時に基づいて分類してもよいし、ユーザの嗜好に基づいて、例えば、アーティスト名で分類するなど適宜変更することができる。
【００２５】
また、アルバム「Ａ」ディレクトリ５３、アルバム「Ｂ」ディレクトリ５５及びアルバム「Ｃ」ディレクトリ５７は、音声データの全てを格納するディレクトリである音声データ用ディレクトリ５１に格納される。音声データ用ディレクトリ５１と同位層には、各音声データを指示するメタデータを格納するメタデータ用ディレクトリ５２が設けられ、メタデータ用ディレクトリ５２と音声データ用ディレクトリ５１とは、データ用ディレクトリ５０に格納される。
【００２６】
ここで、メタデータには、音声データが何れのディレクトリに格納されているかをＣＰＵ２に指定するデータのほか、各音声データのアーティスト名、曲名、再生時間等の各種付加データを意味を含むものとする。ＣＰＵ２は、ユーザが表示部１０に表示された案内に従い入力部１１を操作することにより選択される音声データの指定信号を受信すると、メタデータ用ディレクトリ５２を参照して、特定のメタデータを検出し、このメタデータから対象とする音声データの格納場所を指示され読み出しを行う。このとき、メタデータに含まれる付加データを共に読み出し、表示部１０にアーティスト名、曲名、再生時間等を表示する処理を行うようになっている。
【００２７】
また、記録媒体５には、後述するＣＤプレーヤ１５から入力されるＴＯＣ情報に対応する多数の検索用のメタデータ群を記憶した検索用データベース（図３に示す「検索用メタデータディレクトリ６０」）が構築されている。例えば、ＣＤ−ＤＡに複数の曲が収録されるアルバムＣＤ等の曲順、各曲の再生時間データが、工場出荷時あるいは流通過程等に予めメタデータとして記録される。これらデータは、同時に曲名やアーティスト名等のデータも格納している。市場に流通する販売用アルバムＣＤ等は、原則として曲順や曲の再生時間が同じであるため、これらの時間情報等をＴＯＣ情報から抽出してメタデータ群と比較することで何れのアルバムＣＤであるかの検索が可能となる。同じメタデータが複数ある場合には候補となるメタデータのタイトルからユーザに選択させることができる。このように、ＴＯＣ情報だけで音声データの特定を行うことができる。
【００２８】
図１に戻り、音声処理部６は、音声データ入力端子９から入力されたアナログ音声データを、図示しないＡ／Ｄ（Ａｎａｌｏｇ／Ｄｉｇｉｔａｌ）変換器にてデジタル音声データに変換し、ポータブル再生装置が採用する圧縮データ形式（例えば、ＭＰ３（登録商標））に変換するデコーダである。データ圧縮の後は記録媒体５に圧縮音声データを記録する。
【００２９】
コマンド受信部７は、コマンド入力端子８を介してＣＤプレーヤ１５から入力されるアナログ形式のＴＯＣ情報を受信する。音声処理部６と同様にＡ／Ｄ変換器を備え、アナログ形式で出力されるＴＯＣ情報からデジタルのＴＯＣ情報に変換を行う。信号変換としては、例えばＦＡＸ通信等と同様に出力されるアナログ信号に対して閾値を設けて、１又は０に分類してデジタイズを行う。図４に、出力されるアナログ信号を模式的に示す。ＣＤプレーヤがＣＤ−ＤＡの再生を開始すると、先ずディスクの最内周に記録されたＰＣＡ（Ｐｏｗｅｒ  Ｃａｌｉｂｒａｔｉｏｎ  Ａｒｅａ）及びＰＭＡ（Ｐｒｏｇｒａｍ  Ｍｅｍｏｒｙ  Ａｒｅａ）等のスタートコードを経た後、リードイン領域の読み出しを行う。リードインには、１つの音声データ（１曲）が記録されたトラックや各トラックの時間情報等がデジタルの目次情報としてのＴＯＣとして記録されている。このＴＯＣ情報は元々デジタルで記録され読み出されるものであるから、アナログ形式で出力しても図４に示すように基本的には矩形波として現れる。この矩形波に対し電圧に基づいて高低２種類の閾値を設定することで、コマンド受信部７にてデジタイズすることができる。デジタイズされたＴＯＣ情報は音声データと対応付けて記録媒体５に記憶される。
【００３０】
表示部１０は、ＴＦＴ（Ｔｈｉｎ  Ｆｉｌｍ  Ｔｒａｎｓｉｓｔｏｒ）液晶素子や有機ＥＬ（Ｅｌｅｃｔｒｏ  Ｌｕｍｉｎｅｓｃｅｎｃｅ）素子を用いたＦＰＤ（Ｆｌａｔ  Ｐａｎｅｌ  Ｄｉｓｐｌａｙ）から構成される。ポータブル記録再生装置１の起動時における起動画面、音声データの選択時における選択画面及び曲のタイトル、アーティスト名、再生時間や各種アプリケーションプログラムに基づく時刻や機能選択等の表示を行う。入力部１１は、音声データの再生、スキップ、曲の選択、各種機能設定に使用する入力キーや音声ボリューム調節用キー等の複数のキーから構成される。ユーザの操作性を考慮し、ポータブル記録再生装置１で表示部１２が設けられる平面と同じ面に主に設けるのが好ましい。なお、表示部１０をタッチパネルとして入力部１１と兼用してもよい。入力部１１から出力される指示信号は割込みコントローラ１２により割込み信号が生成され、適宜ＣＰＵ２に出力することができる。
【００３１】
次に、ＣＤプレーヤ１５について説明する。ＣＤプレーヤ１５は、ＣＤプレーヤ用制御部１６、ＣＤプレーヤ用ＲＯＭ１７、ＣＤプレーヤ用ＲＡＭ１８、ＣＤ再生部１９、コマンド出力端子２１、コマンド送信部２０、ＣＤプレーヤ用入力部２２及び音声出力端子２３から構成される。
ＣＤプレーヤ用制御部１６は、ＣＤプレーヤ用ＲＯＭ１７からＣＤプレーヤ１５のオペレーションプログラムを読み出し、ＣＤプレーヤ用ＲＡＭ１８に展開し全体制御を行うマイコン等から構成される。ユーザの操作により入力されるＣＤプレーヤ入力部２２からの操作信号に基づいて、ＣＤ−ＤＡの再生等の音声出力に関する制御及びポータブル記録再生装置１への音声データ及びＴＯＣ情報を送信する伝送制御を行う。
また、ＣＤプレーヤ１５からポータブル記録再生装置１に録音を行う場合、ユーザが入力部１１を操作して録音処理の開始状態にする。その後、ユーザがＣＤプレーヤ１５のＣＤプレーヤ入力部２２を操作することによりＴＯＣ情報を入力させることで録音が行われるようになっている。なお、本発明はこれに限定されるものでなく、音声データ入力端子８やコマンド入力端子８にコンパレータ等を設け、電位差により音声データ用ケーブル２５及びコマンド用ケーブル２４の接続を検知する構成とし、ＣＤプレーヤ１５からの音声データ等の出力を検知すると自動的にポータブル記録再生装置１を録音モードに移行する構成としても良い。
【００３２】
ＣＤ再生部１９は、光学ピックアップ及びサーボモータ等から構成される公知の光学読取機構を適用する。本実施の形態では、ＣＤプレーヤ１５で再生する記録媒体としてＣＤ―ＤＡを採用するが、その他ＣＤ−ＲＯＭやＣＤ−Ｒ及びＣＤ−ＲＷ等の書込み可能な記録媒体、更には各種ＤＶＤを適用することも当然に可能である。
【００３３】
コマンド送信部２０はＤ／Ａ変換器や増幅器から構成され、ＣＤ再生部１９が読み取ったデジタルのＴＯＣ情報をアナログデータに変換し、出力用に所定の増幅を行ってポータブル記録再生装置１に出力を行うものである。一般に、デジタル信号を他の電子機器に出力する場合、信号形式等の規格上の制限を受ける場合が少なからずある。この点、アナログ形式同士の電子機器間の信号伝送は、ゲインの整合性を満足すれば基本的には信号の伝送は容易に行うことができる。本実施の形態では、ＴＯＣ情報をアナログ信号として出力することに特徴がある。
【００３４】
音声データは、図示しないＤ／Ａ変換器によりアナログ音声データに変換して音声出力端子２３から出力される。従来から民生用のＣＤプレーヤ等に適用される「ＬＩＮＥ  ＯＵＴ」等を適用する。
【００３５】
次に、ポータブル記録再生装置１とＰＣ３０との接続関係について説明する。図２に示すように。ポータブル記録再生装置１とＰＣ３０は、ＵＳＢ（Ｕｎｉｖｅｒｓａｌ  Ｓｅｒｉａｌ  Ｂｕｓ）ケーブル３７を介して接続され、音声データやメタデータをはじめとした各種のデジタルデータの送受信を行うことができるようになっている。更にＰＣ３０はネットワークＩ／Ｆ３６を介してインターネット等のネットワークを通じて外部のサーバ４１とデータ通信をすることができるようになっている。
【００３６】
ＰＣ３０は、ＰＣ用ＣＰＵ３１、ＰＣ用ＲＯＭ３２、ＰＣ用ＲＡＭ３３、ＰＣ用メモリ３４、ネットワークＩ／Ｆ３６及びＰＣ用Ｉ／Ｆ３５より構成される。
ＰＣ用ＲＯＭ３２には、ＰＣ３０のオペレーションプログラムのほか、ポータブル再生装置３０からの要求に応じてＣＤＤＢ（ＣＤ  Ｄａｔａ  Ｂａｓｅ）４２に格納されたメタデータ群から音声データに対応するメタデータを検索させてダウンロードするメタデータ取得アプリケーションプログラムが格納される。また、ＰＣ用ＲＯＭ３２には、音声データを取得、編集してポータブル記録再生装置１４に転送するデータ転送アプリケーションも格納する。即ち、ポータブル記録再生装置１は、外部サーバ等からダウンロードしたり、ＰＣ３０のＣＤドライブ等（不図示）にＣＤ―ＤＡを直接挿入して読み込まれたりして取得した音声データをポータブル再生装置に転送することができる。
ＰＣ用ＣＰＵ３１は、これらプログラムをワークエリアとしてのＰＣ用ＲＡＭ３３に展開して全体制御を行う。
【００３７】
ＰＣ用メモリ３４は、ハードディスクやＥＥＰＲＯＭ等の不揮発メモリから構成され、ＣＤＤＢ４２からダウンロードしたメタデータや他の音声データ配信サーバからダウンロードした音声データを記憶する。ネットワークＩ／Ｆ３６は、ＮＩＣ（Ｎｅｔｗｏｒｋ  Ｉｎｔｅｒｆａｃｅ  Ｃａｒｄ）等から構成され、ネットワーク４０の通信規約に適応したデータ伝送形式でサーバ４１とのデータ通信を行うものである。
【００３８】
ネットワーク４０は、ＬＡＮ（Ｌｏｃａｌ  Ａｒｅａ  Ｎｅｔｗｏｒｋ）、ＭＡＮ（Ｍｅｔｒｏｐｏｒｉｔａｎ  Ａｒｅａ  Ｎｅｔｗｏｒｋ）、ＷＡＮ（Ｗｉｄｅ  Ａｒｅａ  Ｎｅｔｗｏｒｋ）又はインターネットから構築される通信網である。サーバ４１は、ネットワーク４０に適応する通信規約により接続され、各種音声データのメタデータを記憶するＣＤＤＢ４２を有する。
【００３９】
ＣＤＤＢ４２は、ポータブル記録再生装置１の記録媒体５に記憶されるようなメタデータを記憶したデータベースであり、所定の音声データ、例えば、過去及び現在までに市販されたアルバムＣＤ等のメタデータ（曲順、曲の再生時間、アーティスト名等を含む。）を記憶する。即ち、現在までに市販されたアルバムＣＤ等の種類は無限に存在する。このためポータブル記録再生装置１の記録媒体５には、全てのアルバムＣＤ等のメタデータを格納することができない。従って、例えば、記録媒体５に記憶するメタデータは、直斤数年分に市販されたアルバムＣＤ等のメタデータを記憶するものとし、記憶しきれないメタデータはＣＤＤＢ４２アクセスして取得することができるようにするためである。
【００４０】
ＰＣ用Ｉ／Ｆ３５は、音声データやＣＤＤＢ４２からダウンロードしたメタデータや他の音声データ配信サーバ等からダウンロードした音声データをポータブル記録再生装置１に出力するインターフェースである。本実施の形態ではＵＳＢ方式を適用している。
【００４１】
以上の構成を有するポータブル記録再生装置１のデータ伝送システムの処理動作について図５及び図６に示すフロー図を用いて説明する。なお、以下の説明では、音声データをＣＤプレーヤ１５から取得するものとし、ＣＤ―ＤＡには複数の音声データ（曲）が記録されているものとする。
ユーザが、音声データ用ケーブル２５とコマンド用ケーブル２４とを用いて、音声データ入力端子９と音声出力端子２３、コマンド入力端子８とコマンド出力端子２１を接続し、入力部１１及びＣＤプレーヤ用入力部を操作することでポータブル記録再生装置１の録音処理が開始される（ステップＳ２０１）。
【００４２】
ポータブル記録再生装置１で録音処理が開始されると、ＣＤプレーヤ用制御部１６はＣＤ再生部１９を駆動してＣＤ―ＤＡの再生出力処理を開始する（ステップＳ１０１）。先ず、ＰＣＡ及びＰＭＡを経た後、光学ピックアップをリードインに移動しＴＯＣ情報を読み込み、ＣＤ―ＤＡのトラック数及び各トラックの再生時間情報を取得する（ステップＳ１０２）。
【００４３】
ＣＤプレーヤ用制御部１６は、このデジタルのＴＯＣ情報をコマンド送信部２０に送信する。コマンド送信部２０では、Ｄ／Ａ変換器によりアナログのＴＯＣ情報に変換し所定の信号増幅を行って、コマンド出力端子２１からコマンド用ケーブル２４を介してアナログのＴＯＣ情報を出力する（ステップＳ１０３）。
【００４４】
ＣＤプレーヤ用制御部１６は、取得したデジタルのＴＯＣ情報に基づいてＣＤ再生部１９のサーボモータを制御してトラックのサーチを行い、音声データの読み込みを行う（ステップＳ１０４）。その後、読み込んだデジタルの音声データを図示しないＤ／Ａ変換器によりアナログの音声データに変換し、音声出力端子２３から音声データ用入力端子９を介してアナログの音声データを出力する（ステップＳ１０５）。
【００４５】
ＣＤプレーヤ用制御部１６は、ＣＤ―ＤＡに記録された全ての音声データの読み込みを終了し、音声データの終了を示すリードアウト信号を検出すると、リードアウト信号を出力し（ステップＳ１０６）、再生出力処理を停止する（ステップＳ１０７）。
【００４６】
ポータブル記録再生装置１は、ステップＳ１０３、Ｓ１０５及びＳ１０６にてＣＤプレーヤ１５から出力されたアナログのＴＯＣ情報、音声データ信号及びリードアウト信号を受信する（ステップＳ２０２）。具体的には、コマンド受信部７にてアナログのＴＯＣ情報をデジタルのＴＯＣ情報にデコードしてＣＰＵ２に出力する。アナログの音声データ及びリードアウト信号は、音声処理部６にてデジタルの音声データ及びリードアウト信号にデコードしてＣＰＵ２に出力する。
【００４７】
ＣＰＵ２は、受信したアナログデータ群にＴＯＣ情報が含まれるかを判断する（ステップＳ２０３）。
ステップＳ２０３にて、ＴＯＣ情報が含まれないと判断する場合は、音声データを記録媒体５に記憶し、録音処理を停止する。
ステップＳ２０３にて、ＴＯＣ情報が含まれると判断する場合は、ＴＯＣ情報をＲＡＭ４又は記録媒体５に記憶する（ステップＳ２０４）。その後、音声データを記録媒体５に記憶する。音声データの記憶はリードアウト信号を検出するまで（又は、マルチセッションのデータ構造を有する場合にはリードアウト信号を検出してから一定時間以内にリードイン信号を再び検出しなくなるまで）行われる（ステップＳ２０５）。
【００４８】
次いで、ＣＰＵ２は、ステップＳ２０４でＲＡＭ４又は記録媒体５に記憶したＴＯＣ情報に対応するメタデータの検索を行う（ステップＳ２０６）。予め、メタデータを格納した記録媒体５から、ＴＯＣ情報の曲数、各曲の再生時間及び曲順と一致するメタデータを検索する。
検索の結果、記録媒体５内に記憶されたメタデータ群から一致するデータがある場合、そのメタデータと音声データとの対応付けを行い、記録媒体５内の検索用メタデータディレクトリ６０に格納する（ステップＳ２０７：ＹＥＳ）。
逆に、検索の結果、一致するメタデータが無い場合には（ステップＳ２０７：ＮＯ）、ＣＰＵ２は、ＰＣ３０へメタデータ検索要求信号を送信するとともに検索の対象となるＴＯＣ情報（曲数、曲の再生時間及び曲順）を送信する（ステップＳ２０８）。
【００４９】
メタデータ検索要求信号及びＴＯＣ情報を受信したＰＣ用ＣＰＵ３１は（ステップＳ３０１）、ＣＤＤＢ検索アプリケーションプログラムを起動し（ステップＳ３０２）、このプログラムに従い、ネットワークＩ／Ｆ３６を通じてネットワーク４０を介しサーバ４１のＣＤＤＢ４２にアクセスを行う（ステップＳ３０３）。
【００５０】
次いで、ＣＤＤＢ４２から、ＴＯＣ情報と一致するメタデータの検索を行う。
検索の結果、ＴＯＣ情報と一致するメタデータが有る場合には（ステップＳ３０４：ＹＥＳ）、ＰＣ３０に該当するメタデータを送信する（ステップＳ３０５）。
検索の結果、一致するメタデータが無い場合には（ステップＳ３０４：ＮＯ）、該当するメタデータが無い旨を示すメタデータ未格納信号を送信する（ステップＳ３０６）。
【００５１】
ステップＳ３０５にて、ＴＯＣ情報と一致するメタデータの送信を受けたＰＣ３０は、このメタデータをポータブル記録再生装置１に送信する（ステップＳ２０９）。
メタデータの送信を受けたポータブル記録再生装置１では、ＣＰＵ２が、送信されたメタデータと音声データとの対応付けを行って記録媒体５に記憶する。
一方、ステップＳ３０６にて、ＴＯＣ情報と一致するメタデータが無い旨のメタデータ未格納信号の送信を受けたポータブル記録再生装置１は録音処理を停止する。記録媒体５には、音声データのファイルデータのみが記憶されることとなる。
【００５２】
以上、本発明を適用した音声再生装置及び付加データ伝送システムによれば、ポータブル再生装置にアナログ形式で入力したＴＯＣ情報に基づいて、音声データに付随する付加データを取得することができるようになる。即ち、従来ポータブル再生装置にアナログ形式で音声データを録音した場合は、ＰＣ等の音声データ転送アプリケーションにより音声データを取得した時と異なり、再生時に曲のタイトル、アーティスト名及び再生時間等の付加情報をポータブル再生装置の表示部に表示することができず、曲の選択等で不便が生じていたが、アナログで音声データを録音した場合であっても、表示部上にこれらの付加情報を表示することができるため曲目の確認や選曲等の操作が著しく簡便となる効果がある。
特に、ＰＣ等を所有せずにＣＤプレーヤ等のアナログ出力しか有さない再生装置しか所有しないユーザには、ＣＤ―ＤＡ等のＴＯＣ情報を有する光ディスクから音声データを転送する際に絶大な効果を奏する。
【００５３】
また、単にＣＤ―ＤＡ等に格納された音声データ等のバックアップを目的とする場合は、音声データとともに付加情報も記憶することができることから、従来、光ディスクの表面や収納ケース等に印刷されていた曲順、アーティスト名及び曲の再生時間等が不必要になり、これらハード的な備品を処分することもできる。
【００５４】
また、ＴＯＣ情報等をＣＤプレーヤ等から取得した後に、曲名、アーティスト名及び再生時間等の付加情報を検索する際、ポータブル再生装置のハードディスク内に検索用のデータベースを一部構築することで、インターネット等のネットワーク通信手段を介さなくても付加情報を簡便に取得することができるという効果がある。更には、このハードディスク内に構築されたデータベースに、該当する付加情報が無い場合には、自動的にネットワーク通信を行い外部のデータベースから取得するため、原則としてＣＤプレーヤからアナログ入力したほぼ全ての音声データに付加情報を取得することができるという効果がある。
【００５５】
以上、本発明を実施するための最良の形態について説明したが、本発明は上述した種々の例に限定されるものではない。例えば、上記例では、ＣＤプレーヤ１５から入力される音声データが複数の曲からなるアルバムＣＤからの音声データである例を示したが、１曲の音声データであってもよい。この場合、ＣＰＵ２が記録媒体５に予め記憶されたメタデータに含まれる付加情報として、曲の出だし部分や特徴的部分の数秒間の音声データ（あるいは音声波形でもよい）を更に記憶しておくのも好ましい。即ち、一般に歌謡曲であれば１曲あたりの再生時間が３分から５分であるものが多い。１曲の音声データに対応するメタデータを記録媒体５に記憶された膨大なメタデータ群から検索する際、再生時間のみをキーとして検索することとなるが、上述した理由から再生時間が同一の曲が多数存在する虞も十分にある。このため、曲の出だし部分や特徴的部分の数秒間の音声データ等をもキーとして検索を行うことで、メタデータを特定する精度が向上するという効果を更に奏する。
【００５６】
また、上記例では、ポータブル記録再生装置１の記録媒体５に、予め検索用のメタデータの一部を格納する構成としたが、このようなデータベースを装置内部に設けずに、メタデータの取得は全てＣＤＤＢ４２から取得する構成とすることも当然にできる。
【図面の簡単な説明】
【００５７】
【図１】本発明を実施するための最良の形態におけるポータブル再生装置及びＣＤプレーヤの構成を示した概要図である。
【図２】本発明を実施するための最良の形態におけるポータブル再生装置、ＰＣ及びサーバの接続関係を表した概要図である。
【図３】本発明を実施するための最良の形態におけるポータブル再生装置のハードディスクに格納するデータの格納構造の例を示した模式図である。
【図４】本発明を実施するための最良の形態におけるＴＯＣ情報の伝送波形を示した模式図である。
【図５】本発明を実施するための最良の形態におけるポータブル再生装置、ＣＤプレーヤ及びＰＣの処理を示したフロー図である。
【図６】本発明を実施するための最良の形態におけるポータブル再生装置、ＣＤプレーヤ及びＰＣの処理を示したフロー図である。
【符号の説明】
【００５８】
１  ポータブル再生装置
２  ＣＰＵ
３  ＲＯＭ
４  ＲＡＭ
５  記録媒体
６  音声処理部
７  コマンド受信部
８  コマンド入力端子
９  音声データ入力端子
１０  表示部
１１  入力部
１２  割込みコントローラ
１３  外部Ｉ／Ｆ
１４  イヤホン出力
１５  ＣＤプレーヤ
１６  ＣＤプレーヤ用制御部
１７  ＣＤプレーヤ用ＲＯＭ
１８  ＣＤプレーヤ用ＲＡＭ
１９  ＣＤ再生部
２０  コマンド送信部
２１  コマンド出力端子
２２  ＣＤプレーヤ用入力部
２３  音声出力端子
２４  コマンド用ケーブル
２５  音声データ用ケーブル
３０  ＰＣ
３１  ＰＣ用ＣＰＵ
３２  ＰＣ用ＲＯＭ
３３  ＰＣ用ＲＡＭ
３４  ＰＣ用メモリ
３５  ＰＣ用Ｉ／Ｆ
３６  ネットワークＩ／Ｆ
３７  ＵＳＢケーブル
４０  ネットワーク
４１  サーバ
４２  ＣＤＤＢ
５０  データ用ディレクトリ
５１  音声データ用ディレクトリ
５２  メタデータ用ディレクトリ
５３  アルバム「Ａ」ディレクトリ
５４ａ、５４ｂ、５４ｃ  アルバム「Ａ」の音声データファイル
５５  アルバム「Ｂ」ディレクトリ
５６ａ、５６ｂ、５６ｃ  アルバム「Ｂ」の音声データファイル
５７  アルバム「ｃ」のディレクトリ
５８  アルバム「ｃ」の音声データファイル
６０  検索用メタデータディレクトリ
【図１】
0004635807.tif 000002
【図２】
0004635807.tif 000003
【図３】
0004635807.tif 000004
【図４】
0004635807.tif 000005
【図５】
0004635807.tif 000006
【図６】
0004635807.tif 000007